(57)【要約】【課題】  複数の用途を有する書類ホルダを提供することである。【解決手段】  主パネルと、主パネルの縦方向縁部に隣接するようにそれぞれ配置された第１及び第２副パネルと、主パネルの下部に形成された書類収納部と、主パネルの上側に配置された上部フラップと、主パネルと第１副パネルとの間、主パネルと第２副パネルとの間、及び上部フラップと主パネルとの間に設けられた襠部分とを備え、第２副パネルを折り曲げて書類収納部の上に重ね、第１副パネルを折り曲げて第２副パネルの上に重ねることによって書類入れとして使用し、更に、上部フラップを折り曲げて第１副パネルの上部に固定することによって郵送用封筒として使用し、第１副パネル及び第２副パネルを書類収納部が位置する側と反対側に折り返し、第１副パネルの先端と第２副パネルの先端とを接合することによって書類置きスタンドして使用するように構成されている。【選択図】図１
2007203480.tif 000002
【特許請求の範囲】
【請求項１】
多用途書類ホルダであって、
対向した一対の縦方向縁部及び前記縦方向縁部に直交するように設けられた対向した一対の横方向縁部によって外周が定められた矩形の主パネルと、
前記主パネルの前記縦方向縁部と同じ長さの第１縦方向縁部、前記第１縦方向縁部に直交するように設けられた上側横方向縁部、前記第１縦方向縁部に対向した側に前記上側横方向縁部に直交するように設けられた第２縦方向縁部、及び前記上側横方向縁部に対向した側に前記第１縦方向縁部に対して鋭角度αをなす下側横方向縁部によって外周が定められ、前記主パネルの一方の縦方向縁部に前記第１縦方向縁部が隣接するように配置された第１副パネルと、
前記主パネルの前記縦方向縁部と同じ長さの第３縦方向縁部、前記第３縦方向縁部に直交するように設けられた上側横方向縁部、前記第３縦方向縁部に対向した側に前記上側横方向縁部に直交するように設けられた第４縦方向縁部、及び前記上側横方向縁部に対向した側に前記第３縦方向縁部に対して鋭角度αをなす下側横方向縁部によって外周が定められ、前記主パネルの他方の縦方向縁部に前記第３縦方向縁部が隣接するように配置された第２副パネルと、
前記主パネルの下部に形成された厚みｗの書類収納部と、
前記主パネルの上側の横方向縁部に隣接して配置された上部フラップと、
前記主パネルの前記一方の縦方向縁部と前記第１副パネルとの間、前記主パネルの前記他方の縦方向縁部と前記第２副パネルとの間、及び前記上部フラップと前記主パネルの前記上側の横方向縁部との間にそれぞれ設けられた幅ｗの襠部分とを備え、
前記第２副パネルを折り曲げて前記書類収納部の上に重ね、前記第１副パネルを折り曲げて第２副パネルの上に重ねることによって書類入れとして使用し、
更に、前記上部フラップを折り曲げて前記第１副パネルの上部に固定することによって郵送用封筒として使用し、
前記第１副パネル及び前記第２副パネルを前記書類収納部が位置する側と反対側に折り返し、前記第１副パネルの先端と前記第２副パネルの先端とを接合することによって、載置面に対して鋭角度αで傾斜する書類置きスタンドして使用する、
ように構成されていることを特徴とする書類ホルダ。
【請求項２】
前記第１副パネルと前記第２副パネルの両方又はいずれか一方に、記録媒体及び名刺を収納する収納部が設けられていることを特徴とすることを特徴とする請求項１に記載の書類ホルダ。
【発明の詳細な説明】
【技術分野】
【０００１】
本発明は、書類を収納する多用途書類ホルダに関する。本発明の多用途書類ホルダに収納される書類には、カタログ、会社案内、見積書、記録媒体（ＣＤ、ＤＶＤ）、名刺などが含まれる。
【背景技術】
【０００２】
カタログのような書類を収納するホルダとして、形状、型式、材質などに関連して種々の種類のものが提案されている。
【発明の開示】
【発明が解決しようとする課題】
【０００３】
しかしながら、例えば、カタログや会社案内をパンフレット形式のものにすると、変更や追加等があった場合に、情報が陳腐化してしまい、変更前の書類が使用できなくなるため、印刷経費が無駄になるという不都合がある。また、書類を収納するホルダとして、１つの用途のみではなく、複数の用途に使用することができるものが要望されている。
【０００４】
本発明は、このような状況に鑑みて案出されたものであって、書類の情報の一部のみが変更になった場合であっても、当該変更箇所のみを廃棄すれば他の書類については使用することができる多用途書類ホルダを提供することを目的としている。
【課題を解決するための手段】
【０００５】
本願請求項１に記載の多用途書類ホルダは、対向した一対の縦方向縁部及び前記縦方向縁部に直交するように設けられた対向した一対の横方向縁部によって外周が定められた矩形の主パネルと、前記主パネルの前記縦方向縁部と同じ長さの第１縦方向縁部、前記第１縦方向縁部に直交するように設けられた上側横方向縁部、前記第１縦方向縁部に対向した側に前記上側横方向縁部に直交するように設けられた第２縦方向縁部、及び前記上側横方向縁部に対向した側に前記第１縦方向縁部に対して鋭角度αをなす下側横方向縁部によって外周が定められ、前記主パネルの一方の縦方向縁部に前記第１縦方向縁部が隣接するように配置された第１副パネルと、前記主パネルの前記縦方向縁部と同じ長さの第３縦方向縁部、前記第３縦方向縁部に直交するように設けられた上側横方向縁部、前記第３縦方向縁部に対向した側に前記上側横方向縁部に直交するように設けられた第４縦方向縁部、及び前記上側横方向縁部に対向した側に前記第３縦方向縁部に対して鋭角度αをなす下側横方向縁部によって外周が定められ、前記主パネルの他方の縦方向縁部に前記第３縦方向縁部が隣接するように配置された第２副パネルと、前記主パネルの下部に形成された厚みｗの書類収納部と、前記主パネルの上側の横方向縁部に隣接して配置された上部フラップと、前記主パネルの前記一方の縦方向縁部と前記第１副パネルとの間、前記主パネルの前記他方の縦方向縁部と前記第２副パネルとの間、及び前記上部フラップと前記主パネルの前記上側の横方向縁部との間にそれぞれ設けられた幅ｗの襠部分とを備え、前記第２副パネルを折り曲げて前記書類収納部の上に重ね、前記第１副パネルを折り曲げて第２副パネルの上に重ねることによって書類入れとして使用し、更に、前記上部フラップを折り曲げて前記第１副パネルの上部に固定することによって郵送用封筒として使用し、前記第１副パネル及び前記第２副パネルを前記書類収納部が位置する側と反対側に折り返し、前記第１副パネルの先端と前記第２副パネルの先端とを接合することによって、載置面に対して鋭角度αで傾斜する書類置きスタンドして使用するように構成されていることを特徴とするものである。
【０００６】
本願請求項２に記載の多用途書類ホルダは、前記請求項１の書類ホルダにおいて、前記第１副パネルと前記第２副パネルの両方又はいずれか一方に、記録媒体及び名刺を収納する収納部が設けられていることを特徴とすることを特徴とするものである。
【発明の効果】
【０００７】
本発明の多用途書類ホルダによれば、収納しようとする書類の一部が変更等により使用不可になった場合であっても、当該書類のみを差し替えることにより、顧客に提示する情報を常に最新のものにしておくことができる。また、本発明の多用途書類ホルダでは、書類入れとして使用するのみならず、郵送用封筒や書類置きスタンドとしても使用することができる。
【発明を実施するための最良の形態】
【０００８】
次に図面を参照して、本発明の好ましい実施の形態に係る多用途書類ホルダについて詳細に説明する。図１は、本発明の好ましい実施の形態に係る多用途書類ホルダの展開図である。図１において全体として参照符号１０で示される本発明の好ましい実施の形態に係る多用途書類ホルダは、矩形の主パネル１２を備えている。主パネル１２は、対向した一対の縦方向縁部１２ａ、１２ｂ、及び、縦方向縁部１２ａ、１２ｂに直交するように設けられた対向した一対の横方向縁部１２ｃ、１２ｄによって、外周が定められている。なお、図１では、縦方向縁部１２ａ、１２ｂが横方向縁部１２ｃ、１２ｄよりも長くなるように図示されているが、横方向縁部１２ｃ、１２ｄが縦方向縁部１２ａ、１２ｂよりも長くなるように形成してもよい。
【０００９】
多用途書類ホルダ１０は又、主パネル１２の一方の縦方向縁部１２ａに隣接して配置された第１副パネル１４と、主パネル１２の他方の縦方向縁部１２ｂに隣接して配置された第２副パネル１６とを備えている。主パネル１２の縦方向縁部１２ａと第１副パネル１４との間には、第１襠部分１８が設けられており、主パネル１２の縦方向縁部１２ｂと第２副パネル１６との間にも、第２襠部分２０が設けられている。幅ｗの細長い矩形形状を有する第１及び第２襠部分１８、２０は、多用途書類ホルダ１０の使用時に書類を収納する厚みを構成する。
【００１０】
第１副パネル１４は、対向した一対の縦方向縁部１４ａ、１４ｂ、及び、縦方向縁部１４ａ、１４ｂに直交するように設けられた横方向縁部１４ｃを有している。第１副パネル１４の主パネル１２の側に位置する縦方向縁部１４ａは、主パネル１２の縦方向縁部１２ａと実質的に同じ長さを有し、主パネル１２と反対の側に位置する縦方向縁部１４ｂは、主パネル１２の縦方向縁部１２ａよりも短い長さを有しており、これにより、第１副パネル１４の横方向縁部１４ｃに対向した側に、縦方向縁部１２ａに対して角度α（αは鋭角）をなす横方向縁部１４ｄが設けられることとなる。横方向縁部１４ｄが縦方向縁部１４ａに対して傾斜していることにより、第１副パネル１４は、台形形状を形作っている。
【００１１】
第２副パネル１６も、第１副パネル１４と同様に、対向した一対の縦方向縁部１６ａ、１６ｂ、及び、縦方向縁部１６ａ、１６ｂに直交するように設けられた横方向縁部１６ｃを有している。第２副パネル１６の主パネル１２の側に位置する縦方向縁部１６ａは、主パネル１２の縦方向縁部１２ｂと実質的に同じ長さを有し、主パネル１２と反対の側に位置する縦方向縁部１６ｂは、主パネル１２の縦方向縁部１２ｂよりも短い長さを有しており、これにより、第２副パネル１６の横方向縁部１６ｃに対向した側に、縦方向縁部１２ａに対して角度α（αは鋭角）をなす横方向縁部１６ｄが設けられることとなる。横方向縁部１６ｄが縦方向縁部１６ａに対して傾斜していることにより、第２副パネル１６は、台形形状を形作っている。
【００１２】
多用途書類ホルダ１０は又、第１副パネル１４の縦方向縁部１４ｂに隣接して配置された側部フラップ２２を備えている。第１副パネル１４の縦方向縁部１４ｂと側部フラップ２２との間には、第３襠部分２４が設けられている。幅ｗの細長い矩形形状を有する第３襠部分２４は、多用途書類ホルダ１０の使用時に書類を収納する厚みを構成する。
【００１３】
多用途書類ホルダ１０は又、主パネル１２の横方向縁部１２ｄに隣接して配置された下部フラップ２６を備えている。主パネル１２の横方向縁部１２ｄと下部フラップ２６との間には、幅ｗの細長い矩形形状を有する第４襠部分２８が設けられている。下部フラップ２６は、対向した一対の縦方向縁部２６ａ、２６ｂ、及び、縦方向縁部２６ａ、２６ｂに直交するように設けられた対向した一対の横方向縁部２６ｃ、２６ｄを有している。下部フラップ２６の主パネル１２の側に位置する横方向縁部２６ｃは、主パネル１２の横方向縁部１２ｄと実質的に同じ長さを有し、主パネル１２と反対の側に位置する横方向縁部２６ｄも、主パネル１２の横方向縁部１２ｄと実質的に同じ長さを有している。また、下部フラップ２６の縦方向縁部２６ａに隣接して第１小フラップ３０が配置され、下部フラップ２６の縦方向縁部２６ｂに隣接して第２小フラップ３２が配置されており、下部フラップ２６と第１小フラップ３０との間には幅ｗの細長い矩形形状を有する第５襠部分３４が配置され、下部フラップ２６と第２小フラップ３２との間には幅ｗの細長い矩形形状を有する第６襠部分３６が配置されている。
【００１４】
多用途書類ホルダ１０は更に、主パネル１２の横方向縁部１２ｃに隣接して配置された上部フラップ３８を備えている。主パネル１２の横方向縁部１２ｃと上部フラップ３８との間には、幅ｗの細長い矩形形状を有する第７襠部分４０が設けられている。
【００１５】
本発明の多用途書類ホルダ１０は、一枚のシート材料（例えば、紙やプラスチック等の合成樹脂材料）で作られており、図１において破線で示される各部分の縁部は、折り曲げ線によって形成されている。
【００１６】
なお、図１において参照符号４２、４４、４６はそれぞれ、側部フラップ２２（の手前側の面）に設けられた接着部、主フラップ１２（の向う側の面）に設けられた接着部、第２副フラップ１６（の向う側の面）に設けられた接着部を示している。接着部として、通常の感圧接着剤や両面テープ等の公知の手段を使用してよい。また、接着部を図示した箇所以外の適当な箇所に設けてもよい。
【００１７】
次に、以上のように構成された本発明の多用途書類ホルダ１０の使用について説明する。本発明の多用途書類ホルダ１０は基本的に、３通りの用途（書類入れ、郵送用封筒、書類置きスタンド）で使用することができる。なお、いずれの用途で使用する場合においても、書類収納部が形成される。すなわち、下部フラップ２６を折り曲げ、下部フラップ２６の縁部に配置された小フラップ３０、３２に接着剤を塗布して小フラップ３０、３２を主フラップ１２に接着させることによって、厚みｗの書類収納部が形成される（図２（ａ）参照）。
【００１８】
多用途書類ホルダ１０を書類入れとして使用する場合には、第２副パネル１６を折り曲て書類収納部の上に重ね（図２（ｂ）参照）、次いで、第１副パネル１４を折り曲げて第２副パネル１６の上に重ねる（図２（ｃ）参照）。
【００１９】
多用途書類ホルダ１０を郵送用封筒（宅配用封筒でも同様）として使用する場合には、更に、上部フラップ３８を折り曲げ、テープ等（図示せず）を用いて上部フラップ３８を第１副パネル１４の上部に固定し、多用途書類ホルダ１０を密閉する（図２（ｄ）参照）。
【００２０】
多用途書類ホルダ１０を書類置きスタンドして使用する場合には、第１副パネル１４および第２副パネル１６を書類収納部が位置する側と反対側に折り返し（図３（ｂ）、図３（ｃ）参照）、側部フラップ２２の接着部４２によって第２副パネル１６の先端と第１副パネル１４の先端を接合する（図３（ｄ）参照）。これにより、載置面に対して角度αで傾斜する書類置きスタンドが形成される（図３（ｅ）参照）。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
例えば、第１副パネル１４及び／又は第２副パネル１６に、ＣＤ、ＤＶＤ等の記録媒体を収納する記録媒体収納部、名刺を収納する名刺収納部を設けてもよい（図４では、第２副パネル１６にこれらの収納部が設けられている例が図示されている）。
【図面の簡単な説明】
【００２３】
【図１】本発明の好ましい実施の形態に係る多用途書類ホルダの展開図である。
【図２】図１の多用途書類ホルダを書類入れ、郵送用封筒として使用する場合の手順を示した一連の図である。
【図３】図１の多用途書類ホルダを書類入れ、書類置きスタンドとして使用する場合の手順を示した一連の図である。
【図４】図１の多用途書類ホルダの副パネルに記録媒体収納部や名刺収納部を設けた変形例を示した図である。
【符号の説明】
【００２４】
１０  多用途書類ホルダ
１２  主パネル
１４  第１副パネル
１６  第２副パネル
２２  側部フラップ
２６  下部フラップ
３０  上部フラップ
１８、２０、２４、２８、３４、３６、４０  襠部分
４２、４４、４６  接着部
【図１】
2007203480.tif 000003
【図２】
2007203480.tif 000004
【図３】
2007203480.tif 000005
【図４】
2007203480.tif 000006